(57)【要約】  光学モジュール（３００）に用いられる溶接構造（２０）およびその応用であって、光学モジュール（３００）は、少なくとも一つの第１のモジュールアセンブリと、少なくとも一つの第２のモジュールアセンブリとを含み、溶接構造（２０）は、少なくとも一つの第１の溶接部材（２１）と、少なくとも一つの第２の溶接部材（２２）とを含み、第１の溶接部材（２１）は第１のモジュールアセンブリに設置され、第２の溶接部材（２２）は第２のモジュールアセンブリに設置され、第１の溶接部材（２１）と第２の溶接部材（２２）とが溶接されると、第１のモジュールアセンブリと第２のモジュールアセンブリとが互いに相対的に固定される。
2020522754.tif 000002
【特許請求の範囲】
【請求項１】
第１の載置部材と、前記第１の載置部材に取り付けられている第１のグループレンズとを含む、少なくとも一つの第１のグループユニットと、
第２の載置部材と、前記第２の載置部材に取り付けられている第２のグループレンズとを含む、少なくとも一つの第２のグループユニットと、
少なくとも一つの第１の溶接部材と、前記第１の溶接部材に溶接して固定される少なくとも一つの第２の溶接部材とを含む溶接構造と、
を含むマルチグループレンズであって、
前記第１の溶接部材および前記第２の溶接部材はそれぞれ、前記第１の載置部材と前記第２の載置部材に設置され、前記第１のグループユニットが前記第２のグループユニットに取り付けられると、前記第１の載置部材は前記第２の載置部材に支持されている、マルチグループレンズ。
【請求項２】
前記第１の載置部材は、第１の本体と、前記第１の本体から外側に延びる外側延伸台とを含み、前記外側延伸台は第１の外側底面を有し、前記第１の溶接部材は前記第１の外側底面に設置され、前記第２の載置部材は、第２の本体と、前記第２の本体から延びる支持台とを含み、前記支持台は、前記第１の載置部材の前記外側延伸台を載置するための外側上面を有し、前記第２の溶接部材は前記支持台の前記外側上面に設置されている、請求項１に記載のマルチグループレンズ。
【請求項３】
前記第１の載置部材は、第１の本体と、前記第１の本体から外側に延びる外側延伸台とを含み、前記外側延伸台は第１の外側面を有し、前記第１の溶接部材は前記外側延伸台の前記第１の外側面に設置され、前記第２の溶接部材は、前記外側延伸台の前記第１の外側面に設置され、前記第２の載置部材は、第２の本体と、前記第２の本体から延びる支持台とを含み、前記支持台は、前記第１の載置部材の前記外側延伸台を載置するための第２の外側面を有し、前記第２の溶接部材は前記支持台の前記第２の外側面に設置されている、請求項１に記載のマルチグループレンズ。
【請求項４】
前記第１の溶接部材と前記第２の溶接部材はそれぞれ前記第１の載置部材と前記第２の載置部材に埋め込まれている、請求項２または３に記載のマルチグループレンズ。
【請求項５】
前記第１の溶接部材と前記第２の溶接部材とから選択される少なくとも一つは、閉鎖した環状である、請求項４に記載のマルチグループレンズ。
【請求項６】
前記第１の溶接部材と前記第２の溶接部材とから選択される少なくとも一つは、スプリットした複数の部分から構成される、請求項４に記載のマルチグループレンズ。
【請求項７】
前記第１の溶接部材および前記第２の溶接部材は、同じ構造を有するように構成される、請求項４に記載のマルチグループレンズ。
【請求項８】
前記第１の溶接部材は、第１の埋め込み部と、前記第１の埋め込み部に接続された第１の接続部とを含み、前記第１の溶接部材が前記第１の載置部材に埋め込まれた時、前記第１の埋め込み部は前記第１の載置部材に埋め込まれ、前記第１の接続部は第１の露出面を形成している、請求項４に記載のマルチグループレンズ。
【請求項９】
前記第２の溶接部材は、第２の埋め込み部と、前記第２の埋め込み部に接続された第２の接続部とを含み、前記第２の溶接部材が前記第２の載置部材に埋め込まれた時、前記第２の埋め込み部は前記第２の載置部材に埋め込まれ、前記第２の接続部は第２の露出面を形成し、前記第１の溶接部材と前記第２の溶接部材が溶接された後、前記第１の接続部の前記第１の露出面と前記第２の接続部の前記第２の露出面とは互いに接合されている、請求項８に記載のマルチグループレンズ。
【請求項１０】
前記外側延伸台は、前記外側底面に対向する上側面と溶接ポートとを有し、前記溶接ポートは、前記外側延伸台の前記外側底面から前記外側延伸台の前記上側面まで伸びている、請求項２に記載のマルチグループレンズ。
【請求項１１】
前記支持台は、前記第２の外側面に対向する第３の外側面と溶接ポートとを有し、前記溶接ポートは、前記第２の外側面から前記第３の外側面まで伸びている、請求項３に記載のマルチグループレンズ。
【請求項１２】
感光モジュールと、
前記感光モジュールに設置される請求項１〜１１のいずれか一項に記載のマルチグループレンズとを含む、
ことを特徴とする、光学モジュール。
【請求項１３】
機器本体と、
前記機器本体に取り付けられている請求項１２に記載の光学モジュールとを含む、
ことを特徴とする、電子機器。
【請求項１４】
感光モジュールと、
前記感光モジュールに設置されたレンズ載置素子と、
前記レンズ載置素子に取り付けられているレンズと、
少なくとも一つの第１の溶接部材と少なくとも一つの第２の溶接部材とを含む溶接構造と
を含む光学モジュールであって、前記第１の溶接部材は前記レンズ載置素子に設置され、前記第２の溶接部材は、前記第１の溶接部材に溶接して固定されるように前記レンズに設置されていることを特徴とする、光学モジュール。
【請求項１５】
前記レンズは、一組のレンズエレメントと、取付本体とを含み、前記レンズエレメントは前記取付本体に取り付けられ、前記取付本体は外壁を有し、前記第１の溶接部材は前記取付本体の外壁に設置され、前記レンズ載置素子は内壁を有し、前記第２の溶接部材は、前記第１の溶接部材に溶接可能に固定されるように前記レンズ載置素子の前記内壁に設置されている、請求項１４に記載の光学モジュール。
【請求項１６】
機器本体と、
前記機器本体に設置された請求項１４または１５に記載の光学モジュールとを含む、
ことを特徴とする、電子機器。
【請求項１７】
感光モジュールと、
前記感光モジュールに設置されたレンズ載置部材と、
前記レンズ載置部材に取り付けられているレンズと、
少なくとも一つの第１の溶接部材と少なくとも一つの第２の溶接部材とを含む溶接構造と
を含む光学モジュールであって、前記第１の溶接部材は前記レンズ載置部材に設置され、前記第２の溶接部材は、前記第１の溶接部材に溶接して固定されるように前記感光モジュールに設置されていることを特徴とする、光学モジュール。
【請求項１８】
機器本体と、
前記機器本体に設置された請求項１７に記載の光学モジュールとを含む、
ことを特徴とする、電子機器。
【請求項１９】
感光モジュールと、
前記感光モジュールに設置された駆動素子と、
前記駆動素子に駆動可能に搭載されたレンズと、
少なくとも一つの第１の溶接部材と少なくとも一つの第２の溶接部材とを含む溶接構造と
を含む光学モジュールであって、前記第１の溶接部材は前記駆動素子に設置され、前記第２の溶接部材は、前記第１の溶接部材に溶接して固定されるように前記感光モジュールに設置されていることを特徴とする、光学モジュール。
【請求項２０】
機器本体と、
前記機器本体に設置された請求項１９に記載の光学モジュールとを含む、
ことを特徴とする、電子機器。
【請求項２１】
以下のステップ：
（１）第１の溶接部材が設置された第１のモジュールアセンブリを、第２の溶接部材が設置された第２のモジュールアセンブリに取り付けるステップと、
（２）前記第１のモジュールアセンブリと前記第２のモジュールアセンブリとが相対的に固定されるように、前記第１の溶接部材と前記第２の溶接部材とをレーザー溶接により溶接するステップと
を含むことを特徴とする、光学モジュールの製造プロセス。
【請求項２２】
前記第１のモジュールアセンブリと前記第２のモジュールアセンブリはそれぞれ、マルチグループレンズの少なくとも二つのグループユニット、レンズとレンズ載置素子、レンズ載置部材と感光モジュール、駆動素子と感光モジュールからなる群より選ばれるものである、請求項２１に記載の光学モジュールの製造プロセス。
【請求項２３】
前記第１のモジュールアセンブリと前記第２のモジュールアセンブリはそれぞれ、一つのマルチグループレンズの少なくとも二つのグループユニットであり、しかも前記ステップ（２）の前に、
少なくとも二つの前記グループユニットを較正するステップをさらに含む、請求項２１に記載の光学モジュールの製造プロセス。
【請求項２４】
前記ステップ（１）は、
前記第１の溶接部材の第１の埋め込み部および前記第２の溶接部材の第２の埋め込み部をそれぞれ前記第１のモジュールアセンブリおよび前記第２のモジュールアセンブリに埋め込むことと、
前記第１の溶接部材の第１の接続部を前記第２の溶接部材の第２の接続部と対応させるように、第１の溶接部材が設けられている第１のモジュールアセンブリを、第２の溶接部材が設けられている第２のモジュールアセンブリに載置することとを含む、
請求項２１に記載の光学モジュールの製造プロセス。
【発明の詳細な説明】
【技術分野】
【０００１】
本発明は光学モジュールの分野に係るものであり、特に、溶接固定により固定されたマルチグループレンズを備えた光学モジュールに関するものであり、前記マルチグループレンズ間は、前記溶接構造により互いに固定され、それにより前記光学モジュールの安定性が向上する。
【背景技術】
【０００２】
光学モジュールは、撮像や監視などの電子製品で広く使用されている。前記光学モジュールは、一つの回路基板アセンブリと、一つの光フィルターと、一つのレンズとを含み、前記回路基板アセンブリは、一つの回路基板本体と、一つの感光チップと、複数の電子素子と、一つの支持架台とを含み、前記感光チップ、前記電子素子、および前記支持架台はそれぞれ前記回路基板本体に取り付けられており、前記光フィルターと前記レンズはそれぞれ前記支持架台に取り付けられ、しかも前記感光チップの感光経路に位置する。
【０００３】
従来、前記感光チップを前記回路基板本体に取り付ける場合でも、前記支持架台を前記回路基板本体に取り付ける場合でも、前記レンズを鏡筒に取り付ける場合でも、鏡筒を前記支持架台に取り付ける場合でも、いずれも接着剤などのその他の媒体を用いて接着固定により取り付けていた。接着剤などの類似の媒体を使用して固定する場合、このタイプの媒体の熱膨張係数または収縮係数は、固定される構造の表面材質の熱膨張または収縮係数とは異なるため、接着剤によって相対的に固定された構造が加熱されて冷却した後に変形しやすくなり、さらに光学モジュールの性能に影響を与えてしまう。この変形はよく、光学モジュールの組立後に発生する。特に、光学モジュールが電子製品に取り付けられた後、電子製品は使用状態と非使用状態との二つの状態間で切り替えられるのが多い。電子製品が使用状態では発熱し、非使用状態に切り替えると、温度差が生じ、この時、光学モジュール内の接着剤によって固定された構造は変形してしまう。
【０００４】
また、接着剤を用いて固定する場合、接着剤によって固定された構造の表面間に一定の厚さを有する接着剤が形成されるため、設計時に、接着剤によって固定される二つの構造の表面間に一定の隙間を事前に設定する必要がある。これによって、最終的に形成される光学モジュールの体積が増加するだけではなく、設計の難しさも増加する。
【０００５】
特に、光学モジュールのレンズについて言えば、レンズは光学モジュールの重要な部品であり、光学モジュールの結像品質に直接に影響する。
【０００６】
インテリジェント化の発展につれ、光学モジュールに対する要求も高くなりつつある。例えば、結像にはますます高画素が要求され、これによって、光学モジュールのレンズ内のレンズエレメント（ｌｅｎｓ）数もどんどん増え、例えば、５〜６枚にも達している。
【０００７】
光軸の一致性、すなわち、各レンズエレメントの中心軸の一致性を確保し、しかも感光チップの中心軸との一致性を確保することは、良好な結像品質を確保するための基礎である。従来のレンズでは、複数のレンズエレメントを逐次に一つの鏡筒に組み立てるのが通常であるが、組立プロセスにおいて、各レンズエレメントを鏡筒に組み立てる時に一定の誤差が不可避的に生じ、最後に、各レンズエレメント全体と鏡筒との間の組立により累積誤差が形成し、すなわち、単一のレンズの組立誤差が形成する。このことから、レンズエレメント数が多ければ多いほど、累積誤差が大きくなり、レンズ全体の品質が低下し、レンズ製造プロセスにおける歩留まりが低下することが容易に理解できる。
【０００８】
一方、従来のレンズでは、複数のレンズエレメントは同一の鏡筒に組み込まれ、各レンズエレメント間の相対位置は基本的に固定しており、調節することができない。レンズエレメントが鏡筒に組み込まれると、レンズの質は決定されるため、鏡筒とレンズエレメントの加工精度に対する要求は高くなる。
【０００９】
レンズエレメント数が少ないレンズの場合、レンズエレメントの組立誤差による影響は小さいので、全体的なレンズは製造およびモジュールの組立にとってより大きな利点があるかもしれないが、レンズエレメントの数が増えると、レンズエレメント数が増えるほど、レンズによって引き起こされる問題が深刻になる。そのため、レンズの改善が急務である。複数のレンズエレメントを介して高画素を提供する上で良好な結像品質および製造プロセスでの歩留まりを如何に確保するかは、研究すべき重要な面である。
【００１０】
また、レンズのレンズエレメントおよびレンズエレメントと鏡筒との組立関係は、レンズの質に直接に影響する。光学モジュール、特にスマートフォンなどの一部のスマートデバイスで使用される光学モジュールは、寸法が比較的に小さいため、既存の機器に対する要求を考え、レンズの構造を最大限に活用し、実際の製造応用に適したレンズを研究することも考慮すべき面である。
【発明の概要】
【００１１】
本発明は、光学モジュール用の溶接構造及びその応用を提供する。前記光学モジュールの第１のモジュールアセンブリおよび第２のモジュールアセンブリが溶接構造によって相対的に固定された後、前記第１のモジュールアセンブリと前記第２のモジュールアセンブリは、熱膨張による大きな相対変位がなく、前記第１のモジュールアセンブリと前記第２のモジュールアセンブリおよび前記溶接構造が配置されている環境が回復すると、前記第１のモジュールアセンブリと前記第２のモジュールアセンブリ間の、熱膨張による変位もなくなり、これによって、前記マルチグループレンズは安定した光学性能を維持することができる。
【００１２】
本発明は、より小さい体積を有する光学モジュールに用いられる溶接構造及びその応用を提供する。
【００１３】
本発明は、光学モジュールの第１のモジュールアセンブリと第２のモジュールアセンブリとを相対的に固定する前に、前記第１のモジュールアセンブリと前記第２のモジュールアセンブリとの間の相対位置を調整する方式で前記光学モジュールを校正することができる、光学モジュール用の溶接構造及びその応用を提供する。
【００１４】
本発明の少なくとも一つの目的を実現するために、本発明は、光学モジュール用の溶接構造を提供し、該光学モジュールは、少なくとも一つの第１のモジュールアセンブリと、少なくとも一つの第２のモジュールアセンブリとを含み、前記溶接構造は、少なくとも一つの第１の溶接部材と、少なくとも一つの第２の溶接部材とを含み、前記第１の溶接部材は前記第１のモジュールアセンブリに設置され、前記第２の溶接部材は前記第２のモジュールアセンブリに設置され、前記第１の溶接部材と前記第２の溶接部材とが溶接されると、前記第１のモジュールアセンブリと前記第２のモジュールアセンブリとが互いに相対的に固定される。
【００１５】
本発明の少なくとも一つの目的を実現するために、本発明は、
一つの第１の載置部材と、前記第１の載置部材に取り付けられている一つの第１のグループレンズエレメントとを含む、少なくとも一つの第１のグループユニットと、
一つの第２の載置部材と、前記第２の載置部材に取り付けられている一つの第２のグループレンズエレメントとを含む、少なくとも一つの第２のグループユニットと、
少なくとも一つの第１の溶接部材と、前記第１の溶接部材に溶接して固定される少なくとも一つの第２の溶接部材とを含む一つの溶接構造と、
を含むマルチグループレンズであって、
前記第１の溶接部材および前記第２の溶接部材はそれぞれ、前記第１の載置部材と前記第２の載置部材に設置され、前記第１のグループユニットが前記第２のグループユニットに取り付けられると、前記第１の載置部材は前記第２の載置部材に支持される、マルチグループレンズを提供する。
【００１６】
本発明の一つの実施形態において、前記第１の載置部材は、一つの第１の本体と、前記第１の本体から外側に延びる一つの外側延伸台とを含み、前記外側延伸台は一つの第１の外側底面を有し、前記第１の溶接部材は前記第１の外側底面に設置され、前記第２の載置部材は、一つの第２の本体と、前記第２の本体から延びる一つの支持台とを含み、前記支持台は、前記第１の載置部材の前記外側延伸台を載置するための一つの外側上面を有し、前記第２の溶接部材は前記支持台の前記外側上面に設置される。
【００１７】
本発明の一つの実施形態において、前記第１の載置部材は、一つの第１の本体と、前記第１の本体から外側に延びる一つの外側延伸台とを含み、前記外側延伸台は一つの第１の外側面を有し、前記第１の溶接部材は前記外側延伸台の前記第１の外側面に設置され、前記第２の溶接部材は、前記外側延伸台の前記第１の外側面に設置され、前記第２の載置部材は、一つの第２の本体と、前記第２の本体から延びる一つの支持台とを含み、前記支持台は、前記第１の載置部材の前記外側延伸台を載置するための一つの第２の外側面を有し、前記第２の溶接部材は前記支持台の前記第２の外側面に設置される。
【００１８】
本発明の一つの実施形態において、前記第１の溶接部材と前記第２の溶接部材はそれぞれ前記第１の載置部材と前記第２の載置部材に埋め込まれている。
【００１９】
本発明の一つの実施形態において、前記第１の溶接部材と前記第２の溶接部材とから選択される少なくとも一つは、閉鎖した環状である。
【００２０】
本発明の一つの実施形態において、前記第１の溶接部材と前記第２の溶接部材とから選択される少なくとも一つは、スプリットした複数の部分から構成される。
【００２１】
本発明の一つの実施形態において、前記第１の溶接部材および前記第２の溶接部材は、同じ構造を有するように構成される。
【００２２】
本発明の一つの実施形態において、前記第１の溶接部材は、一つの第１の埋め込み部と、前記第１の埋め込み部に接続された一つの第１の接続部とを含み、前記第１の溶接部材が前記第１の載置部材に埋め込まれた時、前記第１の埋め込み部は前記第１の載置部材に埋め込まれ、前記第１の接続部は第１の露出面を形成する。
【００２３】
本発明の一つの実施形態において、前記第２の溶接部材は、一つの第２の埋め込み部と、前記第２の埋め込み部に接続された一つの第２の接続部とを含み、前記第２の溶接部材が前記第２の載置部材に埋め込まれた時、前記第２の埋め込み部は前記第２の載置部材に埋め込まれ、前記第２の接続部は第２の露出面を形成し、前記第１の溶接部材と前記第２の溶接部材が溶接された後、前記第１の接続部の前記第１の露出面と前記第２の接続部の前記第２の露出面とは互いに接合されている。
【００２４】
本発明の一つの実施形態において、前記外側延伸台は、前記外側底面に対向する一つの上側面と一つの溶接ポートとを有し、前記溶接ポートは、前記外側延伸台の前記外側底面から前記外側延伸台の前記上側面まで伸びる。
【００２５】
本発明の一つの実施形態において、前記支持台は、前記第２の外側面に対向する一つの第３の外側面と一つの溶接ポートとを有し、前記溶接ポートは、前記第２の外側面から前記第３の外側面まで伸びる。
【００２６】
本発明の一つの態様によれば、本発明の上記少なくとも一つの目的を実現するために、本発明は、
一つの回路基板アセンブリと、
前記回路基板アセンブリに設置される上記一つのマルチグループレンズとを含む、
光学モジュールを提供する。
【００２７】
本発明の一つの態様によれば、本発明の上記少なくとも一つの目的を実現するために、本発明は、
一つの回路基板アセンブリと、
前記回路基板アセンブリに設置された一つのレンズ載置素子と、
前記レンズ載置素子に取り付けられている一つのレンズと、
少なくとも一つの第１の溶接部材と少なくとも一つの第２の溶接部材とを含む溶接構造と
を含む光学モジュールであって、前記第１の溶接部材は前記レンズ載置素子に設置され、前記第２の溶接部材は、前記第１の溶接部材に溶接して固定されるように前記レンズに設置されている、光学モジュールを提供する。
【００２８】
本発明の一つの実施形態において、前記レンズは、一組のレンズエレメントと、一つの取付本体とを含み、前記一組のレンズエレメントは前記取付本体に取り付けられ、前記取付本体は一つの外壁を有し、前記第１の溶接部材は前記取付本体の外壁に設置され、前記レンズ載置素子は一つの内壁を有し、前記第２の溶接部材は、前記第１の溶接部材に溶接可能に固定されるように前記レンズ載置素子の前記内壁に設置される。
【００２９】
本発明の一つの態様によれば、本発明の上記少なくとも一つの目的を実現するために、本発明は、
一つの回路基板アセンブリと、
前記回路基板アセンブリに設置された一つのレンズ載置部材と、
前記レンズ載置部材に取り付けられている一つのレンズと、
少なくとも一つの第１の溶接部材と少なくとも一つの第２の溶接部材とを含む溶接構造と
を含む光学モジュールであって、前記第１の溶接部材は前記レンズ載置部材に設置され、前記第２の溶接部材は、前記第１の溶接部材に溶接して固定されるように前記回路基板アセンブリに設置されている、光学モジュールを提供する。
【００３０】
本発明の一つの態様によれば、本発明の上記少なくとも一つの目的を実現するために、本発明は、
一つの回路基板アセンブリと、
前記回路基板アセンブリに設置された一つの駆動素子と、
前記駆動素子に駆動可能に搭載された一つのレンズと、
少なくとも一つの第１の溶接部材と少なくとも一つの第２の溶接部材とを含む溶接構造と
を含む光学モジュールであって、前記第１の溶接部材は前記駆動素子に設置され、前記第２の溶接部材は、前記第１の溶接部材に溶接して固定されるように前記回路基板アセンブリに設置されている、光学モジュールを提供する。
【００３１】
本発明の一つの態様によれば、本発明の上記少なくとも一つの目的を実現するために、本発明は、
一つの機器本体と、
前記機器本体に取り付けられている上記光学モジュールとを含む、
電子機器を提供する。
【００３２】
本発明の一つの態様によれば、本発明の上記少なくとも一つの目的を実現するために、本発明は、以下のステップ：
第１の溶接部材が設置された第１のモジュールアセンブリを、一つの第２の溶接部材が設置された第２のモジュールアセンブリに取り付けるステップと、
前記第１のモジュールアセンブリと前記第２のモジュールアセンブリとが相対的に固定されるように、前記第１の溶接部材と前記第２の溶接部材とをレーザー溶接により溶接するステップと
を含む、光学モジュールの製造プロセスを提供する。
【００３３】
本発明の一実施形態において、前記第１のモジュールアセンブリと前記第２のモジュールアセンブリはそれぞれ、一つのマルチグループレンズの少なくとも二つのグループユニット、一つのレンズとレンズ載置素子、一つのレンズ載置部材と一つの感光モジュール、一つの駆動素子と一つの感光モジュールからなる群より選ばれるものである。
【００３４】
本発明の一実施形態において、前記第１のモジュールアセンブリと前記第２のモジュールアセンブリはそれぞれ、一つのマルチグループレンズの少なくとも二つのグループユニットであり、しかも前記ステップ（２）の前に、光学モジュールの製造プロセスは、
少なくとも二つの前記群ユニットを較正するステップをさらに含む。
【００３５】
本発明の一実施形態において、前記ステップ（１）は、
前記第１の溶接部材の一つの第１の埋め込み部および前記第２の溶接部材の一つの第２の埋め込み部をそれぞれ前記第１のモジュールアセンブリおよび前記第２のモジュールアセンブリに埋め込むことと、
前記第１の溶接部材の一つの第１の接続部を前記第２の溶接部材の一つの第２の接続部と対応させるように、一つの第１の溶接部材が設けられている第１のモジュールアセンブリを、一つの第２の溶接部材が設けられている第２のモジュールアセンブリに載置することとを含む。
【図面の簡単な説明】
【００３６】
【図１】図１は、本発明の溶接固定方式によって形成されたマルチグループレンズの模式図である。
【図２Ａ】図２Ａは、本発明の第１の実施形態の、光学モジュールに用いられる溶接構造の第１の溶接部材の模式図である。
【図２Ｂ】図２Ｂは、本発明の第１の実施形態の、光学モジュールに用いられる溶接構造の第２の溶接部材の模式図である。
【図２Ｃ】図２Ｃは、本発明の第１の実施形態の、光学モジュールに用いられる溶接構造が溶接される前の模式図である。
【図３Ａ】図３Ａは、本発明の第２の実施形態の、光学モジュールに用いられる溶接構造の第１の溶接部材の模式図である。
【図３Ｂ】図３Ｂは、本発明の第２の実施形態の変形例の、光学モジュールに用いられる溶接構造の一つの実施例の第１の溶接部材の変形例の模式図である。
【図３Ｃ】図３Ｃは、本発明の第２の実施形態の溶接構造が溶接される前の模式図である
【図４Ａ】図４Ａは、本発明の第３の実施形態の、光学モジュールに用いられる溶接構造の第１の溶接部材の模式図である。
【図４Ｂ】図４Ｂは、本発明の第３の実施形態の変形例の、光学モジュールに用いられる溶接構造の一つの実施例の第１の溶接部材の変形例の模式図である。
【図４Ｃ】図４Ｃは、本発明の第３の実施形態の溶接構造が溶接される前の模式図である。
【図５】図５は、本発明の第１の実施形態において、溶接固定方式によって形成されたマルチグループレンズが溶接固定されていない場合の断面図である。
【図６Ａ】図６Ａは、本発明の第１の実施形態において、溶接固定方式によって形成されたマルチグループレンズが溶接された後のＡ−Ａ方向の断面図である。
【図６Ｂ】図６Ｂは、本発明の第１の実施形態において、溶接固定方式によって形成されたマルチグループレンズが溶接された後のＢ−Ｂ方向の断面図である。
【図７】図７は、本発明の第１の実施形態の光学モジュールの構造模式図である。
【図８Ａ】図８Ａは、本発明の第１の実施形態の第１の変形例において、溶接固定方式によって形成されたマルチグループレンズが溶接固定されていない場合の断面図である。
【図８Ｂ】図８Ｂは、本発明の第１の実施形態の第１の変形例において、溶接固定方式によって形成されたマルチグループレンズが溶接された後の断面図である。
【図９】図９は、本発明の第１の実施形態の第１の変形例の、光学モジュールの構造模式図である。
【図１０Ａ】図１０Ａは、本発明の第１の実施形態の第２の変形例において、溶接固定方式によって形成されたマルチグループレンズが溶接固定されていない場合の断面図である。
【図１０Ｂ】図１０Ｂは、本発明の第１の実施形態の第２の変形例において、溶接固定方式によって形成されたマルチグループレンズが溶接された後の断面図である。
【図１１】図１１は、本発明の第１の実施形態の第２の変形例の、光学モジュールの構造模式図である。
【図１２Ａ】図１２Ａは、本発明の第２の実施形態の、光学モジュールに用いられる第１のモジュールアセンブリと第２のモジュールアセンブリが溶接されていない場合の構造模式図である。
【図１２Ｂ】図１２Ｂは、本発明の第２の実施形態の、光学モジュールに用いられる第１のモジュールアセンブリと第２のモジュールアセンブリが溶接された後の構造模式図である。
【図１２Ｃ】図１２Ｃは、本発明の第２の実施形態の光学モジュールの構造模式図である。
【図１３Ａ】図１３Ａは、本発明の第３の実施形態の第１のモジュールアセンブリと第２のモジュールアセンブリが溶接されていない場合の模式図である。
【図１３Ｂ】図１３Ｂは、本発明の第３の実施形態の第１のモジュールアセンブリと第２のモジュールアセンブリの模式図である。
【図１４Ａ】図１４Ａは、本発明の第３の実施形態の変形例の第１のモジュールアセンブリと第２のモジュールアセンブリの構造模式図である。
【図１４Ｂ】図１４Ｂは、本発明の第３の実施形態の変形例の第１のモジュールアセンブリと第２のモジュールアセンブリの構造模式図である。
【図１５】図１５は、本発明の光学モジュールの製造プロセスにおいて溶接固定の方法を採用したフローチャートである。
【図１６】図１６は、本発明の溶接固定方式によって形成された光学モジュールの電子機器の模式図である。
【発明を実施するための形態】
【００３７】
以下の記載は本発明を開示して当業者が本発明を実現できるようにするものである。以下に記載の好ましい実施例は例示に過ぎず、当業者は他の明らかな変化形に容易に想到できる。以下の記載において定義された本発明の基本的な原理は他の実施形態、変形形態、改善形態、均等形態及び本発明の趣旨と範囲から離脱しない他の技術構成に応用できる。
【００３８】
当業者は以下のように理解できる。本発明の開示において、用語の「縦方向」、「横方向」、「上」、「下」、「前」、「後」、「左」、「右」、「垂直」、「水平」、「頂」、「底」、「内」、「外」等が示す方位または位置関係は図面に示された方位または位置関係に基づくものであり、本発明を説明しやすく及び簡単に説明するためのものであり、対象の装置または素子が必然的に特定の方位、特定の方位のある構造及び操作を示しまたは示唆するものではなく、このため、前記用語は本発明に対する制限と理解することはできない。
【００３９】
本発明は、電子機器、光学モジュール、および光学モジュールに用いられる溶接構造を提供する。前記光学モジュールは、少なくとも一つの第１のモジュールアセンブリと、少なくとも一つの第２のモジュールアセンブリと、少なくとも一つの溶接構造とを含み、前記溶接構造は、少なくとも一つの第１の溶接部材と、少なくとも一つの第２の溶接部材とを含み、前記第１の溶接部材は前記第１のモジュールアセンブリに設置され、前記第２の溶接部材は前記第２のモジュールアセンブリに設置され、好ましくは、前記第１の溶接部材は前記第１のモジュールアセンブリに埋め込まれ、前記第２の溶接部材は前記第２のモジュールアセンブリに埋め込まれる。当業者が理解できるように、前記第１の溶接部材と前記第２の溶接部材とが接着またはその他の方式によってそれぞれ前記第１の溶接部材と前記第２の溶接部材に設置されることができる。本発明はこれに制限されていない。当業者が本発明を理解できるようにするために、本発明の以下の実施形態では、前記第１の溶接部材と前記第２の溶接部材がそれぞれ前記第１のモジュールアセンブリと前記第２のモジュールアセンブリに埋め込まれたことを例として説明する。前記第１の溶接部材と前記第２の溶接部材とを溶接することにより、前記第１のモジュールアセンブリと前記第２のモジュールアセンブリが前記溶接構造によって安定的に接続される。
【００４０】
なお、本発明において、第１の溶接部材と第２の溶接部材を溶接する方法は、レーザー溶接、超音波溶接などを含むが、これらに限られていない。
【００４１】
なお、本発明の別の実施形態では、第１の溶接部材と第２の溶接部材はそれぞれ、第１のモジュールアセンブリと第２のモジュールアセンブリから一体的に伸びて形成することができる。本発明はこれに限定されるものではない。当業者が本発明を理解できるようにするために、本発明の実施形態では、第１の溶接部材と第２の溶接部材がそれぞれ第１のモジュールアセンブリと第２のモジュールアセンブリに設置されたことを例として説明する。
【００４２】
当業者が理解できるように、本発明の他の実施形態では、前記溶接構造は、第３の溶接構造と第４の溶接構造を含んでもよく、前記光学モジュールは、第３のモジュールアセンブリと第４のモジュールアセンブリとを含んでもよく、前記第３の溶接部材は、前記第２のモジュールアセンブリに設置されてもよく、前記第４の溶接部材は、前記第３のモジュールアセンブリに設置されてもよい。前記第３の溶接部材と前記第４の溶接部材を溶接することにより、前記第３のモジュールアセンブリが前記第２のモジュールアセンブリに接続される。
【００４３】
なお、前記第３の溶接構造は前記第３のモジュールアセンブリに設置されてもよい。前記第４の溶接部材は前記第４のモジュールアセンブリに設置され、前記第３の溶接部材と前記第４の溶接部材を溶接することにより、前記第３のモジュールアセンブリと前記第４のモジュールアセンブリとが接続され相対的に固定される。
【００４４】
第１のモジュールアセンブリとが第２のモジュールアセンブリは、レンズと鏡筒、鏡筒と回路基板アセンブリ、モーターと感光モジュール、マルチグループレンズ中の二つのグループユニットなどから選ばれるものであってもよく、これらに限られていない。当業者が本発明を理解できるようにするために、以下の実施形態では、まずマルチグループレンズ中の二つのグループユニットを例として説明する。当業者が理解できるように、本発明の溶接構造は、前記光学モジュール中の、固定する必要のある任意の二つの素子を接続するために適用することができ、本発明はこれに制限されていない。前記マルチグループレンズとは、前記光学モジュールで使用されるレンズが、二つ以上の別体式レンズ（本発明の以下の実施形態においてグループユニットと呼ばれる）の組み合わせであることを指す。
【００４５】
従来のレンズ、特に光学モジュールに用いられるレンズは、長期的に比較的に安定した単一構造にあり、複数のレンズエレメントを一つの鏡筒に組み立ててなる。前述のように、レンズエレメントの数が少ないと、例えば、２、３枚の場合、この構造の組立誤差による影響が比較的に小さいが、レンズおよび光学モジュールの高画素、高結像質に対する要求によってレンズエレメントの数が増えて、累積誤差が増加し続けて、従来のレンズ構造は、レンズと光学モジュールに対する要求に非常に不適切になる。これに対して、本発明は、複数のグループユニットから一つの全体的なレンズを組み立てて形成するマルチグループレンズを提供し、これによって、各グループユニットのレンズエレメント数が比較的に少なく、各ユニットの組立誤差も小さくなる。さらに、各グループユニットからなるマルチグループレンズのレンズエレメント総数が多いため、高いピクセルを提供することができ、しかも累積誤差が小さい。さらに、マルチグループレンズの組立形成の過程において、各グループユニットについてアクティブアライメント（Ａｃｔｉｖｅ  Ａｌｉｇｎｍｅｎｔ，ＡＡ）を利用して組み立てることができるで、各グループユニット間の相対誤差が減少し、マルチグループレンズに良い光学的一致性をもたらす。また、各グループユニットは組立構造を介して互いに併用して組み立てられるため、各グループユニットが安定的に組み立てられてマルチグループレンズを形成し、しかも併用した方式によって、外部迷光がマルチグループレンズの内部に入ることをブロックし、マルチグループレンズの光学系を干渉することを防げる。そして、一部の実施形態では、各グループユニットは一つの溶接構造２０を介して迅速かつ安定的に組み立てられて固定され、それによって製造効率が向上する。
【００４６】
図１から図１２までを参考にして、マルチグループレンズ１００は、複数のグループユニット１０と、少なくとも一つの溶接構造２０とを含み、マルチグループレンズ１００は、例えば、２枚、３枚または３枚以上の複数枚のレンズエレメントを有するレンズに適する。
【００４７】
マルチグループレンズ１００は、組み立てられて光学モジュール３００を構成することに適しており、特に組み立てられて高画素の光学モジュール３００を構成することに適している。
【００４８】
マルチグループレンズ１００は少なくとも二つのグループユニット１０を含み、二つのグループユニットは共にマルチグループレンズ１００の光学系全体を構成する。つまり、前記マルチレンズの光学系は、少なくとも二つのグループユニットの組み合わせにより実現するものであり、従来の一体型レンズのように一つの独立したレンズにより実現するものではない。
【００４９】
なお、マルチグループレンズ１００の各グループユニットにおけるレンズエレメントは、需要に合わせて割り当てられて組み合わせることができる。本発明の本実施形態では、その中の一つのみについて説明する。各レンズエレメントの数および割り当て方式は、本発明に制限されていないと当業者は理解すべきである。
【００５０】
より具体的には、マルチグループレンズ１００は、第１のグループユニット１１と第２のグループユニット１２との二つのグループユニットを含む。第１のグループユニット１１と第２のグループユニット１２とからレンズ全体を構成する場合、第１のグループユニット１１は第２のグループユニット１２の上方に位置し、第１のグループユニット１１と第２のグループユニット１２の光軸は一致している。すなわち、本発明の実施形態では、マルチグループレンズ１００の光学系は、第１のグループユニット１１と第２のグループユニット１２にそれぞれ対応する二つの光学系で構成されている。つまり、ある程度では、第１のグループユニット１１と第２のグループユニット１２はそれぞれ独立して存在する場合、一つの完全なレンズの機能を実現することができず、第１のグループユニット１１と第２のグループユニット１２を互いに組み合わせる時、結像品質要件を満たせる完全なレンズを構成する。
【００５１】
さらに、第１のグループユニット１１は、第１の載置部材１１１と、少なくとも一つの第１のグループレンズエレメント１１２とを含み、一つの独立した部材を容易に構成するように、第１のグループレンズエレメント１１２は第１の載置部材１１１に取り付けられている。
【００５２】
第２のグループユニット１２は、第２の載置部材１２１と、少なくとも一つの第２のグループレンズ１２２とを含み、別の独立した部材を容易に構成するように、第２のグループレンズ１２２は第２の載置部材１２１に取り付けられている。
【００５３】
第１の載置部材１１１は、第１のグループユニット１１と第２のグループユニット１２の光路方向が一致するように、第２の載置部材１２１の上方に設置されている。
【００５４】
本発明の実施形態では、第１の溶接部材２１は第１の載置部材１１１に設置され、好ましくは、第１の溶接部材２１は、第１の載置部材１１１に埋め込まれる。第２の溶接部材２２は第２の載置部材１２１に設置され、好ましくは、第２の溶接部材２２は、第２の載置部材１２１に埋め込まれる。第１のグループユニット１１が第２のグループユニット１２に相対的に固定される場合、第１の載置部材１１１は第２の載置部材１２１に支持され、第１の溶接部材２１は第２の溶接部材２２に支持される。さらに、第１のグループユニット１１と第２のグループユニット１２を校正した後、第１の溶接部材２１と第２の溶接部材２２をレーザー溶接する方式により、第１のグループユニット１１の第１の載置部材１１１と第２のグループユニット１２の第２の載置部材１２１が互いに相対的に固定される。
【００５５】
なお、上記方式によって固定する場合、第１の溶接部材２１と第２の溶接部材２２は好ましくは金属材料からなるため、マルチグループレンズ１００が光学モジュール３００に設置され、且つ光学モジュール３００がいつも過酷な環境（例えば、ベーキング、高温高湿など、これらに限られていない）にある時、第１のグループユニット１１と第２のグループユニット１２との間の相対位置は、不均一な熱膨張により大きく変位することはないため、マルチグループレンズ１００が安定した光学性能を維持できる。
【００５６】
また、従来の一体型レンズにおいて、レンズエレメントは逐次に鏡筒に取り付けられ、レンズエレメントの調整可能な範囲は非常に狭く、しかもレンズエレメントが固定されると、レンズエレメントと鏡筒の相対位置が固定される。すべてのレンズが組み立てられた後、レンズ全体の累積誤差が決定され、調整できなくなる。しかし、本発明において、第１のグループユニット１１と第２のグループユニット１２はそれぞれ独立して構成できるので、互いに影響を与えることはない、第１のグループユニット１１と第２のグループユニット１２はレンズ全体に組み立てられる時、第１のグループユニット１１と第２のグループユニット１２は相対的に調整できるため、さらにレンズを校正してその全体的な誤差を減少させることができ、特に、６軸方向の調整など、立体空間で異なる方向の調整を行うことができる。
【００５７】
第１の載置部材１１１は、第１の本体１１１１と、第１の本体１１１から外側に延びる外側延伸台１１１２とを含む、特に、外側延伸台１１１２は第１の本体１１１１から水平かつ一体的に外側に延びて、例えば、金型を介して一体的に形成する方式により環状つば構造を形成する。
【００５８】
本発明の本実施形態では、外側延伸台１１１２は第１の本体１１１１の外部の中間位置に設置され、第１の本体１１１１を二部分に分け、一つの部分は外側延伸台１１１２の上方に位置し、もう一つの部分は外側延伸台１１１２の下方に位置する。第１のグループユニット１１と第２のグループユニット１２が組み立てられた後、第１の本体１１１１は外側延伸台１１１２の上方に位置する。
【００５９】
外側延伸台１１１２は様々な高さが設定できる。例えば、一部の実施形態では、外側延伸台１１１２の上面が第１の本体１１１１の上端より低いように、より小さい高さを設定する。例えば、一部の実施形態では、外側延伸台１１１２の上面を第１の本体１１１１の上端と一致させるように、より大きい高さを設定する。これによって、マルチグループレンズ１００の上部が異なる形状を有するようになる。
【００６０】
第１の本体１１１１は、第１の収容キャビティ１１１１１と、第１の上部光通過孔１１１１２と、第１の下部光通過孔１１１１３とを有する。第１のグループレンズエレメント１１２は第１の収容キャビティ１１１１１に収容されている。
【００６１】
第１の上部光通過孔１１１１２は第１の本体１１１１の上部に位置し、外部と連通して光を第１のグループユニット１１に入らせ、すなわち、外部光を第１の収容キャビティ１１１１１内の第１のグループレンズエレメント１１２に到達させる。
【００６２】
第１の下部光通過孔１１１１３は第１の本体１１１１の下部に位置し、第２のグループユニット１２と連通して第１のグループユニット１１を通過した光を第２のグループユニット１２に入らせる。
【００６３】
第２の載置部材１２１は、第２の本体１２１１と、第２の本体１２１１から一体的に延びる支持台１２１２とを含み、第１のグループユニット１１と第２のグループユニット１２とを組み合わせた時、第１の載置部材１１１の外側延伸台１１１２は、第２の載置部材１２１の支持台１２１２に支持される。
【００６４】
図３から図１１までを参考にして、本発明の一実施形態では、第１の溶接部材２１は外側延伸台１１１２に設置され、第２の溶接部材２２は支持台１２１２に設置される。第１のグループユニット１１と第２のグループユニット１２が校正された後、第１の溶接部材２１と第２の溶接部材２２を溶接することのみで、第１のグループユニット１１と第２のグループユニット１２を相対的に固定することができる。
【００６５】
第２の本体１２１１は、第１の収容キャビティ１２１１１と、第２の上部光通過孔１２１１２と、第２の下部光通過孔１２１１３とを有する。第２のグループレンズエレメント１２２は第２の収容キャビティ１２１１１に収容されている。
【００６６】
第２の上部光通過孔１２１１２は第２の本体１２１１の上部に位置し、第１のグループユニット１１と連通して第１のグループユニット１１を通過した光を第２のグループユニット１２に入らせる。
【００６７】
第２の下部光通過孔１２１１３は第２の本体１２１１の下部に位置し、外部と連通して第２のグループユニット１２を通過した光を外部に到達させ、例えば、光学モジュール３００の一つの感光素子に到達させる。これによって、第１のグループユニット１１と第２のグループユニット１２とが完全な光学系を形成する。
【００６８】
本発明のこの実施形態では、第１のグループユニット１１は少なくとも一つの第１の光路素子１１３を含み、第１の光路素子１１３は、レンズエレメントに所定の光チャネルを形成するようにレンズエレメントに隣接した位置に設置される。例えば、第１の光路素子１１３は、レンズのエッジ光を遮断してレンズエレメントの中心位置に所定の光チャネルを形成するためのスペーサであってもよい。第１の光路素子１１３は、遮光するようにレンズエレメントの縁部に覆うコーティング層であってもよく、これによってレンズエレメントの中心位置に所定の光チャネルを形成する。言い換えれば、レンズエレメントに所定の光チャネルを形成するように、前記光路素子は前記レンズエレメントと併用して配置される。
【００６９】
第２のグループユニット１２は、少なくとも一つの第２の光路素子１２３を含み、第２の光路素子１２３は、レンズエレメントに所定の光チャネルを形成するようにレンズエレメントに隣接した位置に設置される。例えば、第２の光路素子１２３は、レンズエレメントのエッジ光を遮断してレンズエレメントの中心位置に所定の光チャネルを形成するためのスペーサであってもよい。第２の光路素子１２３は、遮光するようにレンズエレメントの縁部に覆うコーティング層であってもよく、これによってレンズエレメントの中心位置に所定の光チャネルを形成する。
【００７０】
より具体的には、本発明の実施形態において、第１の載置部材１１１の外側延伸台１１１２はさらに、第１の外側面１１１２１と外側底面１１１２２とを有する。支持台１２１２の上部には、第１のグループユニット１１が第２のグループユニット１２に取り付けられるときに第１の載置部材１１１の外側延伸台１１１２を収容するための一つの凹溝が形成されている。支持台１２１２は、第２の外側面１２１２１と外側上面１２１２２とを有する。第１の載置部材１１１が第２の載置部材１２１に取り付けられるとき、第１の載置部材１１１の外側延伸台１１１２は第２の載置部材１２１の支持台１２１２の上方に載置され、しかも外側延伸台１１１２の第１の外側面１１１２１は、支持台１２１２の第２の外側面１２１２１と互いに対向し、外側延伸台１１１２の外側底面１１１２２は、支持台１２１２の外側上面１２１２２と互いに対向する。
【００７１】
なお、第１の溶接部材２１と第２の溶接部材２２とを溶接する前に、第１のグループユニット１１を第２のグループユニット１２に対して調整することができる。これによって、第１の溶接部材２１と第２の溶接部材２２を溶接する前に、第１のグループユニット１１と第２のグループユニット１２とからなる光学モジュールを校正することができる。つまり、第１のグループユニット１１は、支持台１２１２の凹溝内で相対的に調整されることができる。
【００７２】
図５、図６Ａ、および図６Ｂを参考にして、本発明の第１の実施形態のマルチグループレンズ１００において、第１の溶接部材２１は外側延伸台１１１２の外側底面１１１２２に設置されている。この場合、第２の溶接部材２２は対応して支持台１２１２の外側上面１２１２２に設置される。第１のグループユニット１１が第２のグループユニット１２に対して固定される時、第１の溶接部材２１と第２の溶接部材２２を上下溶接する方式により、第１のグループユニット１１と第２のグループユニット１２を相対的に固定することができる。
【００７３】
好ましくは、第１の載置部材１１１の外側延伸台１１１２はさらに、少なくとも一つの溶接ポート１１１２３を有する。第１の溶接部材２１が第１の載置部材１１１に設置された後、溶接ポート１１１２３を介して第１の溶接部材２１の一部が露出するようになる。レーザー溶接によって第１の溶接部材２１と第２の溶接部材２２を溶接固定する場合、溶接ツールの溶接ヘッドは溶接ポート１１１２３を介して第１の溶接部材２１に対して作業することができる。
【００７４】
具体的には、外側延伸台１１１２はさらに、外側底面１１１２２と対向する一つの上側面１１１２４を有する。溶接ポート１１１２３は、上側面１１１２４から外側底面１１１２２に延び、これによって外側延伸台１１１２に設置される第１の溶接部材２１が一部露出し、溶接ツールの溶接ヘッドは溶接ポート１１１２３を介して第１の溶接部材２１に対して溶接作業をする。
【００７５】
なお、本発明において、溶接ポート１１１２３の数は２以上であってもよいが、本発明はこれに限られていない。
【００７６】
図７を参考にして、本発明のこの実施形態に係る光学モジュール３００を下記のように詳しく説明する。光学モジュール３００は、回路基板アセンブリ７１を含む。回路基板アセンブリ７１は感光アセンブリとも呼ばれる。感光アセンブリ７１は、感光素子７１１と、回路基板本体７１２と、支持架台７１３と、光フィルター素子７１４と、複数の電子素子７１５とを含む。感光素子７１１は回路基板本体７１２に設置され、支持架台７１３は回路基板本体７１２に設置されて感光素子７１１の外側に位置し、光フィルター素子７１４は感光素子７１１の感光経路に設置されて支持架台７１３に支持される。マルチグループレンズ１００は感光アセンブリ７１に設置されて感光アセンブリ７１の感光素子７１１の感光経路に位置する。
【００７７】
なお、光学モジュール３００はさらにレンズ載置素子７２を含む。レンズ載置素子７２が一体的にマルチグループレンズ１００から延びる場合、光学モジュール３００は固定焦点モジュールである。レンズ載置素子７２がモーターである場合、光学モジュール３００は可動焦点モジュールである。
【００７８】
当業者が理解できるように、本発明のマルチグループレンズ１００は、接着剤によって固定されるのではなく、溶接構造２０によって溶接固定されているため、マルチグループレンズ１００はより小さい体積を有し、これに対応して、光学モジュール３００もより小さい体積を有する。また、マルチグループレンズ１００は温度の変化に伴う回復不能な変形をすることはないため、光学モジュール３００はよりよい安定性を有する。
【００７９】
図５から図９までを参考にし、本発明の第１の実施形態の第１の変形例では、第１の溶接部材２１’は外側延伸台１１１２の第１の外側面１１１２１に設置されている。この時、第２の溶接部材２２’は対応して支持台１２１２の第２の外側面１２１２１に設置される。第１のグループユニット１１が第２のグループユニット１２に対して固定される時、第１の溶接部材２１’と第２の溶接部材２２’を水平的に溶接することで第１のグループユニット１１と第２のグループユニット１２を相対的に固定することができる。
【００８０】
好ましくは、溶接ポート１１１２３は第２の載置部材１２１の支持台１２１２に設置される。第２の溶接部材２２’が支持台１２１２の第２の外側面１２１２１に設置された後、溶接ポート１１１２３を介して第２の溶接部材２２’の一部が露出するようになる。具体的には、支持台１２１２はさらに第３の外側面１２１２３を有する。本実施形態では、溶接ポート１１１２３は第３の外側面１２１２３から第２の外側面１２１２１に延びて溶接ポート１１１２３が一部露出するようになり、溶接ツールの溶接ヘッドは溶接ポート１１１２３を介して第１の溶接部材２１’に対して作業する。
【００８１】
図９を参考にして、本発明のこの実施形態に係る光学モジュール３００を下記のように詳しく説明する。光学モジュール３００は、回路基板アセンブリ７１を含む。回路基板アセンブリは感光アセンブリとも呼ばれる。感光アセンブリ７１は、感光素子７１１と、回路基板本体７１２と、支持架台７１３と、光フィルター素子７１４と、複数の電子素子７１５とを含む。感光素子７１１は回路基板本体７１２に設置され、支持架台７１３は回路基板本体７１２に設置されて感光素子７１１の外側に位置し、光フィルター素子７１４は感光素子７１１の感光経路に設置されて支持架台７１３に支持される。マルチグループレンズ１００は感光アセンブリ７１に設置されて感光アセンブリ７１の感光素子７１１の感光経路に位置する。
【００８２】
なお、光学モジュール３００はさらにレンズ載置素子７２を含む。レンズ載置素子７２が一体的にマルチグループレンズ１００から延びる場合、光学モジュール３００は固定焦点モジュールである。レンズ載置素子７２がモーターである場合、光学モジュール３００は可動焦点モジュールである。
【００８３】
当業者が理解できるように、本発明のマルチグループレンズ１００は、接着剤によって固定されるのではなく、溶接構造２０’によって溶接固定されているため、マルチグループレンズ１００はより小さい体積を有し、これに対応して、光学モジュール３００もより小さい体積を有する。また、マルチグループレンズ１００は温度の変化に伴う回復不能な変形をすることはないため、光学モジュール３００はよりよい安定性を有する。
【００８４】
図５から図９、図１０Ａ、および図１０Ｂを参考にし、これは上記第１の実施形態の第２の変形例である。本発明の実施形態では、外側延伸台１１１２の第１の外側面１１１２１と支持台１２１２の第２の外側面１２１２２は、垂直方向と所定の角度を形成している。
【００８５】
当業者が理解できるように、第１の溶接部材２１”は、外側延伸台１１１２のその他の位置に設置されてもよい。これに対応して、第２の溶接部材２２”は、支持台１２１２のその他の位置に設置されてもよい。これによって、第１の溶接部材２１”と第２の溶接部材２２”が溶接された後、第１のグループユニット１１と第２のグループユニット１２が相対的に固定されるようになる。
【００８６】
図１１を参考にして、本発明のこの実施形態に係る光学モジュール３００を下記のように詳しく説明する。光学モジュール３００は、回路基板アセンブリ７１を含む。回路基板アセンブリ７１は感光アセンブリとも呼ばれる。感光アセンブリ７１は、感光素子７１１と、回路基板本体７１２と、支持架台７１３と、光フィルター素子７１４と、複数の電子素子７１５とを含む。感光素子７１１は回路基板本体７１２に設置され、支持架台７１３は回路基板本体７１２に設置されて感光素子７１１の外側に位置し、光フィルター素子７１４は感光素子７１１の感光経路に設置されて支持架台７１３に支持される。マルチグループレンズ１００は感光アセンブリ７１に設置されて感光アセンブリ７１の感光素子７１１の感光経路に位置する。
【００８７】
なお、光学モジュール３００はさらにレンズ載置素子７２を含む。レンズ載置素子７２が一体的にマルチグループレンズ１００から延びる場合、光学モジュール３００は固定焦点モジュールである。レンズ載置素子７２がモーターである場合、光学モジュール３００は可動焦点モジュールである。
【００８８】
当業者が理解できるように、本発明のマルチグループレンズ１００は、接着剤によって固定されるのではなく、溶接構造２０”によって溶接固定されているため、マルチグループレンズ１００はより小さい体積を有し、これに対応して、光学モジュール３００もより小さい体積を有する。また、マルチグループレンズ１００は温度の変化に伴う回復不能な変形をすることはないため、光学モジュール３００はよりよい安定性を有する。
【００８９】
図１２Ａ、図１２Ｂ、および図１２Ｃを参考にして、本発明の第２の実施形態では、第１のモジュールアセンブリと第２のモジュールアセンブリはそれぞれレンズ３１とレンズ載置素子３２である。本発明の実施形態では、レンズ３１は、本発明の上記実施形態のマルチグループレンズであってもよく、一体型レンズであってもよく、本発明はこれらに制限されていない。当業者が本発明をよりよく理解するために、下記の例では、レンズ３１が一体型レンズであることを例とする。
【００９０】
本発明の実施形態では、レンズ３１は、少なくとも一組のレンズエレメント３１１と、一つの取付本体３１２とを含み、前記一組のレンズエレメント３１１は取付本体３１２に取り付けられる。溶接構造２０Ｉの第１の溶接部材２１Ｉは取付本体３１２の外壁に設置され、第２の溶接部材２２Ｉはレンズ載置素子３２の内壁に設置され、レンズ３１がレンズ載置素子３２に取り付けられる時、第１の溶接部材３１と第２の溶接部材３２を溶接することによりレンズ３１とレンズ載置素子３２を相対的固定することができる。
【００９１】
具体的には、本実施形態では、レンズ載置素子３２は溶接ポート３２０を有し、溶接ポート３２０はレンズ載置素子３２の内壁からレンズ載置素子３２の外壁までのび、溶接ツールの溶接ヘッドが溶接ポート３２０を介して第１の溶接部材２１Ｉに対して溶接作業をする。
【００９２】
なお、本発明の実施形態では、第１の溶接部材２１Ｉと第２の溶接部材２２Ｉはそれぞれレンズ３１の取付本体３１２とレンズ載置素子３２に設置されており、しかも第１の溶接部材２１Ｉと第２の溶接部材２２Ｉをレーザー溶接することによりレンズ３１とレンズ載置素子３２を相対的に固定しているので、従来技術で接着剤などその他の媒体を通して固定する方式より、レンズ３１の取付本体３１２とレンズ載置素子３２との間の隙間はより小さい。これによって、レンズ３１とレンズ載置素子３２が全体的に光学モジュール３００に取り付けられる時、光学モジュール３００がより小さい体積を有するようになる。
【００９３】
なお、本発明の実施形態では、第１の溶接部材２１Ｉと第２の溶接部材２２Ｉは好ましくは金属材料からなるため、レンズ３１とレンズ載置素子３２が光学モジュール３００に設置され、且つ光学モジュール３００がいつも温度差の大きい環境にある時、レンズ３１とレンズ載置素子３２との間の相対位置は、不均一な熱膨張により大きく変位することはないため、マルチグループレンズが安定した光学性能を維持できる。
【００９４】
さらに、本発明のこの実施形態に係る光学モジュール３００を下記のように詳しく説明する。光学モジュール３００は、上記第１のモジュールアセンブリと上記第２のモジュールアセンブリとを含む。また、光学モジュール３００はさらに感光アセンブリ３３を含む。感光アセンブリ３３は、感光素子３３１と、回路基板本体３３２と、支持架台３３３と、光フィルター素子３３４と、複数の電子素子３３５とを含む。感光素子３３１は回路基板本体３３２に設置され、支持架台３３３は回路基板本体３３２に設置されて感光素子３３１の外側に位置し、光フィルター素子３３４は感光素子３３１の感光経路に設置されて支持架台３３３に支持される。マルチグループレンズ１００は感光アセンブリ３３に設置されて感光アセンブリ３３の感光素子３３１の感光経路に位置する。
【００９５】
なお、光学モジュール３００はさらにレンズ載置素子３２を含む。レンズ載置素子３２が一体的にマルチグループレンズ１００から延びる場合、光学モジュール３００は固定焦点モジュールである。レンズ載置素子３２がモーターである場合、光学モジュール３００は可動焦点モジュールである。
【００９６】
当業者が理解できるように、本発明のマルチグループレンズ１００は、接着剤によって固定されるのではなく、溶接構造２０’によって溶接固定されているため、マルチグループレンズ１００はより小さい体積を有し、これに対応して、光学モジュール３００もより小さい体積を有する。また、マルチグループレンズ１００は温度の変化に伴う回復不能な変形をすることはないため、光学モジュール３００はよりよい安定性を有する。
【００９７】
図１３Ａと図１３Ｂを参考にして、これは本発明の第３の実施形態である。この実施形態では、第１のモジュールアセンブリは一つのレンズ載置部材４１であり、少なくとも一つのレンズ４３はレンズ載置部材４１に取り付けられている。第２のモジュールアセンブリは一つの回路基板アセンブリ４２である。回路基板アセンブリ４２は、少なくとも一つの感光素子４２１と、少なくとも一つの支持架台４２２と、少なくとも一つの回路基板本体４２３とを含む。好ましくは、回路基板アセンブリ４２はさらに一つの光フィルター素子４２４を含み、感光素子４２１は回路基板本体４２３に設置され、感光素子４２１は回路基板本体４２３に電気的に接続され、支持架台４２２は、レンズ載置部材４１を支持するように回路基板本体４２３に取り付けられ、光フィルター素子４２４は支持架台４２２に取り付けられて感光素子４２１の感光経路に位置する。
【００９８】
本発明の実施形態では、溶接構造２０ＩＩの第１の溶接部材２１ＩＩと第２の溶接部材２２ＩＩはそれぞれ、レンズ載置部材４１の底部と支持架台４２２の上部に設置され、第１の溶接部材２１ＩＩと第２の溶接部材２２ＩＩとをレーザー溶接することにより、レンズ４３が取り付けられているレンズ載置部材４１と回路基板アセンブリ４２の支持架台４２２とを相対的に固定することができる。上記記載から、上記固定方式によって固定焦点光学モジュールが形成できると当業者は理解することができる。
【００９９】
好ましくは、本実施形態では、レンズ載置部材４１は溶接ポート４１０を有し、溶接ポート４１０はレンズ載置部材４１の底部に設置され、第１の溶接部材２１ＩＩがレンズ載置部材４１の底部に設置される時、溶接ポート４１０を介して第１の溶接部材２１ＩＩが一部露出し、溶接ツールの溶接ヘッドが溶接ポート４１０を介して第１の溶接部材２１ＩＩに対して作業をする。
【０１００】
当業者が理解できるように、本実施形態の一変形例では、溶接ポート４１０は回路基板アセンブリ４２の支持架台４２２の上部に設置されてもよく、これによって、第２の溶接部材２１が支持架台４２２の上部に設置される時、溶接ポート４１０を介して第２の溶接部材２２ＩＩが一部露出し、溶接ツールの溶接ヘッドが溶接ポート４１０を介して第１の溶接部材２１に対して作業をする。なお、本発明の実施形態では、第１の溶接部材２１ＩＩと第２の溶接部材２２ＩＩは金属材料からなるため、レンズ載置部材４１と回路基板アセンブリ４２が光学モジュール３００に設置され、且つ光学モジュール３００がいつも温度差の大きい環境にある時、レンズ載置部材４１と回路基板アセンブリ４２との間の相対位置は、不均一な熱膨張により大きく変位することはないため、マルチグループレンズが安定した光学性能を維持できる。
【０１０１】
図１４Ａと図１４Ｂを参考にして、本発明の第３の実施形態の一変形例では、第１のモジュールアセンブリは一つの駆動素子、例えば、モーター５１である。モーター５１上に少なくとも一つレンズが取り付けられている。具体的には、該レンズは、少なくとも一組のレンズ５３と一つの鏡筒５４とを含み、レンズ５３は鏡筒５４に取り付けられている。前記レンズは、上記実施形態のマルチグループレンズであってもよく、従来の一体型レンズであってもよく、本発明はこれらに制限されていない。当業者が本発明をよりよく理解するために、下記の実施形態では、一体型レンズを例にして、第１の溶接部材２１ＩＩＩがモーターの底部壁に設置されている。
【０１０２】
本実施形態では、第２のモジュールアセンブリは一つの回路基板アセンブリ５２である。回路基板アセンブリ５２は感光アセンブリとも呼ばれる。感光アセンブリ５２は、少なくとも一つの感光素子５２１と、少なくとも一つの支持架台５２２と、少なくとも一つの回路基板本体５２３とを含む。好ましくは、感光アセンブリ５２はさらに一つの光フィルター素子５２４を含み、感光素子５２１は回路基板本体５２３に設置され、感光素子５２１は回路基板本体５２３に電気的に接続され、支持架台５２２は、モーター５１を支持するように回路基板本体５２３に取り付けられ、光フィルター素子５２４は支持架台５２２に取り付けられて感光素子５２１の感光経路に位置する。
【０１０３】
本発明の実施形態では、溶接構造２０ＩＩＩの第２の溶接部材２２ＩＩＩは感光アセンブリ５２の支持架台５２２の上部に設置されている。モーター５１が感光アセンブリ５２に取り付けられる時、第１の溶接部材２１ＩＩＩと第２の溶接部材２２ＩＩＩはモーター５１と感光アセンブリ５２との間に位置する。モーター５１を感光アセンブリ５２に固定する必要がある時、第１の溶接部材２１ＩＩＩと第２の溶接部材２２ＩＩＩをレーザー溶接することにより、モーター５１と感光アセンブリ５２とを相対的に固定することができる。
【０１０４】
好ましくは、本実施形態では、モーター５１は溶接ポート５１０を有し、溶接ポート５１０はモーター５１の底部に設置され、第１の溶接部材２１ＩＩＩがモーター５１の底部に設置される時、溶接ポート５１０を介して第１の溶接部材２１ＩＩＩが一部露出し、溶接ツールの溶接ヘッドが溶接ポート５１０を介して第１の溶接部材２１ＩＩＩに対して作業をする。本実施形態の一変形例では、溶接ポート５１０は支持架台５２２の上部に設置されている。本発明はこれらに制限されていない。
【０１０５】
本発明の実施形態では、モーター５１と感光アセンブリ５２との間は、第１の溶接部材２１ＩＩＩと第２の溶接部材２２ＩＩＩを介して溶接されるので、光学モジュールが温度差の大きい環境にある時でも、モーター５１と感光アセンブリ５２との間の相対位置も変位し難いため、マルチグループレンズが安定した光学性能を維持できる。
【０１０６】
なお、上記実施形態では、モーター５１と感光アセンブリ５２とを相対的に固定する時、レンズは、感光アセンブリ５２の感光チップの感光経路に保持できる。
【０１０７】
また、本発明の実施形態では、モーター５１と感光アセンブリ５２の支持架台との間は、第１の溶接部材２１ＩＩＩと第２の溶接部材２２ＩＩＩを介して接続しており、しかも第１の溶接部材２１ＩＩＩと第２の溶接部材２２ＩＩＩはそれぞれモーター５１と感光アセンブリ５２に設置されているので、モーター５１と感光アセンブリ５２とが相対的に固定される時、小さい隙間を形成するか、さらに隙間が存在しなくなるので、光学モジュールの全体的な体積を減少させることができる。
【０１０８】
図１５を参考にして、本発明の他方において、本発明は、以下のステップ：
ステップ２００１：（１）第１の溶接部材が設置された第１のモジュールアセンブリを、一つの第２の溶接部材が設置された第２のモジュールアセンブリに取り付けるステップと、
ステップ２００２：（２）前記第１のモジュールアセンブリと前記第２のモジュールアセンブリとが相対的に固定されるように、前記第１の溶接部材と前記第２の溶接部材とをレーザー溶接により溶接するステップと
を含む、光学モジュールの製造プロセス２０００を提供する。
【０１０９】
本発明の一実施形態において、前記ステップ（１）と前記ステップ（２）はそれぞれ、
（Ｓ１）前記第１の溶接部材２１が設置された一つの第１のグループユニット１１を、前記第２の溶接部材２２が設置された一つの第２のグループユニット１２に取り付け、第１の溶接部材は第１のグループユニット１１の第１の載置部材１１１に設置され、第２の溶接部材は第２のグループユニット１２の第２の載置部材１２１に設置され、第１のグループユニット１と第２のグループユニットとはグループユニット１０を形成し、少なくとも一つの前記グループユニット１０は一つのマルチグループレンズを形成することと、
（Ｓ２）前記第１のグループユニット１１と前記第２のグループユニットとが相対的に固定されるように、前記第１の溶接部材と前記第２の溶接部材とを溶接することとして実施される。
【０１１０】
なお、前記ステップ（Ｓ１）とステップ（Ｓ２）との間、前記方法はさらに、
（Ｓ０）立体空間の異なる方向においてアクティブアライメント（Ａｃｔｉｖｅ  Ａｌｉｇｎｍｅｎｔ，ＡＡ）を利用して第１のグループユニット１１と第２のグループユニット１２を校正することを含む。
【０１１１】
前記ステップ（Ｓ０）での校正は、水平校正、垂直校正、および第１のグループユニット１１または第２のグループユニット１２の光軸を回転軸として回転することによる校正から選択されるものである。
【０１１２】
図１６を参考にして、本発明の他の態様において、本発明は電子機器６０を提供する。電子機器６０は光学モジュール６１を含み、光学モジュール６１はさらに、溶接固定方式によって形成される一つの第１のモジュールアセンブリと、一つの第２のモジュールアセンブリと、一つの溶接構造とを含み、前記溶接構造は、前記第１のモジュールアセンブリに設置される一つの第１の溶接部材と、前記第２のモジュールアセンブリに設置される一つの第２の溶接部材とを含む。前記第１の溶接部材と前記第２の溶接部材とをレーザー溶接することにより、前記第１のモジュールアセンブリと前記第２のモジュールアセンブリとを相対的に固定することができる。
【０１１３】
本発明の電子機器は、携帯電話、タブレットコンピュータなどとして実施可能であるが、これらに限られていない。
【０１１４】
具体的には、電子機器６０は機器本体６２を含み、光学モジュール６１は機器本体６２に設置されている。
【０１１５】
なお、本発明の上記すべての実施形態では、第１のモジュールアセンブリと第２のモジュールアセンブリにおいて、それぞれ複数の第１の溶接部材と複数の第２の溶接部材が設置できる。本発明はこれらに制限されていない。
【０１１６】
また、上記実施形態の実施態様は同時に同一の光学モジュールに応用することができる。本発明はこれらに制限されていない。
【０１１７】
さらに、本発明の上記実施形態では、第１の溶接部材２１と第２の溶接部材２２は、金属材料、非金属材料、複合材料などからなることができる。
【０１１８】
なお、図２Ａ、図２Ｂおよび図２Ｃ、図３Ａ、図３Ｂおよび図３Ｃ、図４Ａ、図４Ｂおよび図４Ｃを参考にして、本発明の上記実施形態では、第１の溶接部材２１と第２の溶接部材２２はそれぞれ第１のモジュールアセンブリと第２のモジュールアセンブリに設置されてから互いに溶接する前に、それぞれ第１の露出面２１０と第２の露出面２２０を有する。第１の溶接部材２１と第２の溶接部材２２とが溶接されると、第１の溶接部材２１の第１の露出面２１０と第２の溶接部材２２の第２の露出面２２０とが互いに相対的に固定される。
【０１１９】
また、第１の溶接部材２１と第２の溶接部材２２はそれぞれインサート成形または貼付などの方式により第１のモジュールアセンブリと第２のモジュールアセンブリに固定されている。好ましくは、本発明の実施形態では、第１の溶接部材２１と第２の溶接部材２２はそれぞれインサート成形により第１のモジュールアセンブリと第２のモジュールアセンブリに固定されている。
【０１２０】
具体的には、第１の溶接部材２１は、少なくとも一つの第１の埋め込み部２１１と、前記第１の埋め込み部２１１から一体的に延びる少なくとも一つの第１の接続部２１２とを含み、前記第１の溶接部材２１が第１のモジュールアセンブリに設置される場合、第１の埋め込み部２１１は第１のモジュールアセンブリに埋め込まれ、第１の露出面２１０は第１の接続部２１２に位置する。第２の溶接部材２２は、少なくとも一つの第２の埋め込み部２２１と、前記第２の埋め込み部２２１から一体的に延びる少なくとも一つの第２の接続部２２２とを含み、前記第２の溶接部材２２が第２のモジュールアセンブリに設置される場合、第２の埋め込み部２２１は第２のモジュールアセンブリに埋め込まれ、第２の露出面２２０は第２の接続部２２２に位置する。第１の溶接部材２１と第２の溶接部材２２が溶接された後、前記第１の接続部２１２の前記第１の露出面２１０と前記第２の接続部２２２の前記第２の露出面２２０とは互いに対応するようになり、これによって第１の溶接部材２１と第２の溶接部材２２が互いに溶接され、さらに第１のモジュールアセンブリと第２のモジュールアセンブリとが互いに固定される。
【０１２１】
なお、第１の溶接部材２１と第２の溶接部材２２が溶接固定される前に、第１の溶接部材２１の第１の接続部２１２からなる第１の露出面２１０は、第２の溶接部材２２の第２の接続部２２２からなる第２の露出面２２０と対向するようになることができる。第１の溶接部材２１と第２の溶接部材２２が溶接される時、第１の接続部２１２と第２の接続部２２２との間は、第１の露出面２１０と第２の露出面２２０とを介して互いに融合し、第１の接続部２１２と第２の接続部２２２との接続によって、第１のモジュールアセンブリと第２のモジュールアセンブリとが互いに固定される。
【０１２２】
また、本発明において、第１の溶接部材２１と第２の溶接部材２２は同じ形状構造を有してもよく、異なる形状構造を有してもよい。例えば、図２Ａと図２Ｂはそれぞれ、本発明の第１の溶接部材２１の二つの異なる形状の構造模式図であり、図２Ｃは、第１の溶接部材２１が図２Ａに示す構造であり、しかも第２の溶接部材２２が図２Ｂに示す構造である場合、第１の溶接部材２１が第２の溶接部材２２に搭載されていることを示す模式図である。当業者が理解できるように、第１の溶接部材２１と第２の溶接部材２はそれぞれ上記各実施形態の第１のモジュールアセンブリと第２のモジュールアセンブリに設置された後、第１の溶接部材２１と第２の溶接部材２２を溶接することにより、第１のモジュールアセンブリが相対的に第２のモジュールアセンブリに固定されることができる。
【０１２３】
本発明において、第１の溶接部材２１と第２の溶接部材２２は複数の形状を有してもよい。例えば、本発明の一実施形態では、第１の埋め込み部２１１と第１の接続部２１２は第１の溶接部材２１の両側部であり、具体的には、第１の溶接部材２１の上部と下部であってもよく、第１の溶接部材２１の左部と右部であってもよい。第２の埋め込み部２１２と第２の接続部２１２は、第１の溶接部材２１の第１の埋め込み部２１１と同じ形状または異なる形状に設置されてもよい。つまり、前記溶接構造は、同じ形状を有する第１の溶接部材２１と第２の溶接部材２２との組み合わせであってもよく、異なる形状を有する第１の溶接部材２１と第２の溶接部材２２との組み合わせであってもよい。本発明はこれらに制限されていない。
【０１２４】
図２Ａを参考にして、本発明の第１の実施形態において、第１の溶接部材２１と第２の溶接部材２２は、同一の水平面を有する第１のモジュールアセンブリと第２のモジュールアセンブリ、例えば、図５、図１３Ａ、図１３Ｂ、図１４Ｂ、および図１５Ｂに示す第１のモジュールアセンブリに取り付けるのに適している。本実施形態では、第１の溶接部材２１は環状構造を有し、第１の溶接部材２１の第１の埋め込み部２１１と第１の接続部２１２は異なる高さを有し、第１の埋め込み部２１１と、隣接する二つの第１の接続部２１２との間に、第１のモジュールアセンブリを埋め込むための埋め込み空間２００を形成する。
【０１２５】
また、図２Ｂを参考にして、本発明の第１の実施形態の第２の溶接部材２２は、同一の水平面を有する第１のモジュールアセンブリと第２のモジュールアセンブリに取り付けるのに適している。本発明の第１の実施形態の第２の溶接部材２２の第１の埋め込み部２１１と第２の接続部２１２は同じ高さを有する。本実施形態では、第２の溶接部材２２は環状であり、しかも第２の溶接部材２２の第２の接続部２１２は閉鎖した環状リングであり、第２の溶接部材２２の第２の埋め込み部２２１は、第２の接続部２２２から径方向に延びる突出部である。第２の溶接部材２２が第１のモジュールアセンブリに設置されると、第２の溶接部材２２の第２の接続部２２２は第２の露出面２２０を形成する。
【０１２６】
また、本発明において、第１の溶接部材２１と第２の溶接部材２２は、同じ形状構造を有してもよいし、異なる形状構造を有してもよい。本発明はこれらに制限されていない。
【０１２７】
例えば、図３Ａ、図３Ｂ、および図３Ｃに示すように、本発明の第２の実施形態において、第１の溶接部材２１Ａと第２の溶接部材２２Ａとは異なる構造を有する。本実施形態では、第１の溶接部材２１Ａと第２の溶接部材２２Ａは、一つの垂直平面を有する第１のモジュールアセンブリと第２のモジュールアセンブリに設置されるのに適している。例えば、図８Ａ、図８Ｂ、図１０Ａ、および図１０Ｂを参照できる。本実施形態では、第１の溶接部材２１Ａと第２の溶接部材２２Ａはそれぞれ環状構造である。第１の溶接部材２１Ａの水平方向で外側の部分は第１の接続部２１２Ａを形成し、第１の溶接部材２１Ａの水平方向で内側の部分は第１の埋め込み部２１１Ａを形成する。第１の溶接部材２１Ａは第１のモジュールアセンブリに設置されると、第１の接続部２１２は第１の露出面２１０Ａを形成する。
【０１２８】
また、本発明の一実施形態では、第１の溶接部材２１および／または第２の溶接部材２２は、一体化形成された環状であってもよいし、スプリットした少なくとも二つの部分からなるものであってもよい。本発明はこれらに制限されていない。
【０１２９】
例えば、図４Ａ、図４Ｂ、および図４Ｃに示すように、本実施形態において、第１の溶接部材２１Ｂと第２の溶接部材２２Ｂはそれぞれ、スプリットした二つの部分からなるものである。第１の溶接部材２１Ｂの各部分は、第１の埋め込み部２１１Ｂと第１の接続部２１２Ｂとを含む。第２の溶接部材２２Ｂの各部分は、第２の埋め込み部２２１Ｂと第２の接続部２２２Ｂとを含む。第１の溶接部材２１Ｂと第２の溶接部材２２Ｂはそれぞれ第１のモジュールアセンブリと第２のモジュールアセンブリに取り付けられた後、それぞれ第１の露出面２１０Ｂと第２の露出面２２０Ｂを形成する。第１の溶接部材２１Ｂと第２の溶接部材２２Ｂが溶接された後、第１の溶接部材２１Ｂと第２の溶接部材２２Ｂは互いに接合される。
【０１３０】
当業者が理解できるように、本発明のその他の実施形態において、第１の溶接部材２１Ｂと第２の溶接部材２２Ｂはさらに、スプリットした三つまたは三つ以上の部分からなるものであってもよい。本発明はこれらに制限されていない。
【０１３１】
以上から分かるように、本発明の目的は十分かつ効果的に達成できる。本発明の機能および構造原理を説明するための実施形態はすでに十分に説明されており、しかも本発明は、これらの実施形態の原理に基づいた変更によって限定されない。したがって、本発明は、添付の特許請求の範囲およびその精神内に含まれるすべての変形および修正を含む。
【図１】
2020522754.tif 000003
【図２Ａ】
2020522754.tif 000004
【図２Ｂ】
2020522754.tif 000005
【図２Ｃ】
2020522754.tif 000006
【図３Ａ】
2020522754.tif 000007
【図３Ｂ】
2020522754.tif 000008
【図３Ｃ】
2020522754.tif 000009
【図４Ａ】
2020522754.tif 000010
【図４Ｂ】
2020522754.tif 000011
【図４Ｃ】
2020522754.tif 000012
【図５】
2020522754.tif 000013
【図６Ａ】
2020522754.tif 000014
【図６Ｂ】
2020522754.tif 000015
【図７】
2020522754.tif 000016
【図８Ａ】
2020522754.tif 000017
【図８Ｂ】
2020522754.tif 000018
【図９】
2020522754.tif 000019
【図１０Ａ】
2020522754.tif 000020
【図１０Ｂ】
2020522754.tif 000021
【図１１】
2020522754.tif 000022
【図１２Ａ】
2020522754.tif 000023
【図１２Ｂ】
2020522754.tif 000024
【図１２Ｃ】
2020522754.tif 000025
【図１３Ａ】
2020522754.tif 000026
【図１３Ｂ】
2020522754.tif 000027
【図１４Ａ】
2020522754.tif 000028
【図１４Ｂ】
2020522754.tif 000029
【図１５】
2020522754.tif 000030
【図１６】
2020522754.tif 000031
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
第１の載置部材と、前記第１の載置部材に取り付けられている第１のグループレンズとを含む、少なくとも一つの第１のグループユニットと、
第２の載置部材と、前記第２の載置部材に取り付けられている第２のグループレンズとを含む、少なくとも一つの第２のグループユニットと、
少なくとも一つの第１の溶接部材と、前記第１の溶接部材に溶接して固定される少なくとも一つの第２の溶接部材とを含む溶接構造と、
を含むマルチグループレンズであって、
前記第１の溶接部材および前記第２の溶接部材はそれぞれ、前記第１の載置部材と前記第２の載置部材に設置され、前記第１のグループユニットが前記第２のグループユニットに取り付けられると、前記第１の載置部材は前記第２の載置部材に支持されている、マルチグループレンズ。
【請求項２】
前記第１の載置部材は、第１の本体と、前記第１の本体から外側に延びる外側延伸台とを含み、前記外側延伸台は第１の外側底面を有し、前記第１の溶接部材は前記第１の外側底面に設置され、前記第２の載置部材は、第２の本体と、前記第２の本体から延びる支持台とを含み、前記支持台は、前記第１の載置部材の前記外側延伸台を載置するための外側上面を有し、前記第２の溶接部材は前記支持台の前記外側上面に設置されている、請求項１に記載のマルチグループレンズ。
【請求項３】
前記第１の載置部材は、第１の本体と、前記第１の本体から外側に延びる外側延伸台とを含み、前記外側延伸台は第１の外側面を有し、前記第１の溶接部材は前記外側延伸台の前記第１の外側面に設置され、前記第２の溶接部材は、前記外側延伸台の前記第１の外側面に設置され、前記第２の載置部材は、第２の本体と、前記第２の本体から延びる支持台とを含み、前記支持台は、前記第１の載置部材の前記外側延伸台を載置するための第２の外側面を有し、前記第２の溶接部材は前記支持台の前記第２の外側面に設置されている、請求項１に記載のマルチグループレンズ。
【請求項４】
前記第１の溶接部材と前記第２の溶接部材はそれぞれ前記第１の載置部材と前記第２の載置部材に埋め込まれている、請求項２または３に記載のマルチグループレンズ。
【請求項５】
前記第１の溶接部材と前記第２の溶接部材とから選択される少なくとも一つは、閉鎖した環状である、請求項４に記載のマルチグループレンズ。
【請求項６】
前記第１の溶接部材と前記第２の溶接部材とから選択される少なくとも一つは、スプリットした複数の部分から構成される、請求項４に記載のマルチグループレンズ。
【請求項７】
前記第１の溶接部材および前記第２の溶接部材は、同じ構造を有するように構成される、請求項４に記載のマルチグループレンズ。
【請求項８】
前記第１の溶接部材は、第１の埋め込み部と、前記第１の埋め込み部に接続された第１の接続部とを含み、前記第１の溶接部材が前記第１の載置部材に埋め込まれた時、前記第１の埋め込み部は前記第１の載置部材に埋め込まれ、前記第１の接続部は第１の露出面を形成している、請求項４に記載のマルチグループレンズ。
【請求項９】
前記第２の溶接部材は、第２の埋め込み部と、前記第２の埋め込み部に接続された第２の接続部とを含み、前記第２の溶接部材が前記第２の載置部材に埋め込まれた時、前記第２の埋め込み部は前記第２の載置部材に埋め込まれ、前記第２の接続部は第２の露出面を形成し、前記第１の溶接部材と前記第２の溶接部材が溶接された後、前記第１の接続部の前記第１の露出面と前記第２の接続部の前記第２の露出面とは互いに接合されている、請求項８に記載のマルチグループレンズ。
【請求項１０】
前記外側延伸台は、前記外側底面に対向する上側面と溶接ポートとを有し、前記溶接ポートは、前記外側延伸台の前記外側底面から前記外側延伸台の前記上側面まで伸びている、請求項２に記載のマルチグループレンズ。
【請求項１１】
前記支持台は、前記第２の外側面に対向する第３の外側面と溶接ポートとを有し、前記溶接ポートは、前記第２の外側面から前記第３の外側面まで伸びている、請求項３に記載のマルチグループレンズ。
【請求項１２】
感光モジュールと、
前記第１のグループユニットと前記第２のグループユニットの少なくとも一つを載置する前記感光モジュールに設置されたレンズ載置素子と、を更に含み、
前記溶接構造は、少なくとも第３の溶接部材を更に含み、
前記第３の溶接部材は前記レンズ載置素子に設置され、前記第１の溶接部材と前記第２の溶接部材の少なくとも一つに溶接して固定される、
ことを特徴とする、請求項１に記載のマルチグループレンズ。
【請求項１３】
前記第１の載置部材と前記第２の載置部材はそれぞれ外壁を有し
前記第１の溶接部材と前記第２の溶接部材は、それぞれ前記第１の載置部材の外壁と前記第２の載置部材の外壁に設置され、
前記レンズ載置素子は内壁を有し、
前記第３の溶接部材は、前記第１の溶接部材と前記第２の溶接部材の少なくとも一つに溶接可能に固定されるように前記レンズ載置素子の前記内壁に設置されている、
ことを特徴とする、請求項１２に記載のマルチグループレンズ。
【請求項１４】
前記溶接構造は、前記感光モジュールに設置される少なくとも第４の溶接部材を更に含み、
前記第４の溶接部材は前記第３の溶接部材に溶接して固定される、
ことを特徴とする、請求項１２に記載のマルチグループレンズ。
【請求項１５】
前記レンズ載置素子は駆動素子である、
ことを特徴とする、請求項１４に記載のマルチグループレンズ。
【請求項１６】
前記第２の溶接部材が前記第１の溶接部材に溶接して固定される前に、前記第１のグループユニットと前記第２のグループユニットとは較正される、
ことを特徴とする、請求項１に記載のマルチグループレンズ。
【請求項１７】
感光モジュールと、
前記感光モジュールに設置される請求項１〜１６のいずれか一項に記載のマルチグループレンズとを含む、
ことを特徴とする、光学モジュール。
【請求項１８】
機器本体と、
前記機器本体に取り付けられている請求項１７に記載の光学モジュールとを含む、
ことを特徴とする、電子機器。
【国際調査報告】
2020522754.tif 000032
2020522754.tif 000033
2020522754.tif 000034
2020522754.tif 000035